(57)【要約】【目的】本発明は、広告表示システム、広告表示サーバ、および広告表示プログラムに関し、駅中待時間に応じた広告表示を見て短時間にできる名物の土産物を購入したり、長時間が必要な名物レストランに行って食事を取ったりなどの駅中待時間に応じた行動ができるよう適切な情報を提供することを目的とする。【構成】顧客のＩＣカードから読み取られたＩＤを受信したときに、ＩＤをもとに、ＩＤに対応づけて予約情報を登録したテーブルを参照して予約があるか判別する手段と、予約があると判明したときにその予約情報を取り出し、予約情報と現時刻とをもとに駅中待時間を算出する手段と、算出した駅中待時間をもとに、駅中待時間に対応づけて広告表示を登録したテーブルから広告表示を取り出す手段と、取り出した広告表示を送信元に送信して表示させる手段とを備える。【選択図】        図１
2012073380.tif 000002
【特許請求の範囲】
【請求項１】
顧客が自動改札機にＩＣカードをかざしたときに当該ＩＣカードから顧客のＩＤを読み取って当該顧客の駅中待時間に応じた適切な広告表示を行う広告表示システムにおいて、
駅などの改札口に設け、顧客がＩＣカードをかざしたときに当該ＩＣカードから顧客のＩＤを読み取る手段と、
前記読み取った顧客のＩＤをサーバに送信する手段と、
前記顧客のＩＤをサーバに送信したことに対応して、サーバから当該顧客のＩＤの乗車に関する予約情報があったときに当該乗車に関する予約情報と現時刻とをもとに算出した駅中待時間に対応して取り出した広告表示を受信する手段と、
前記受信した駅中待時間に対応した広告表示を表示する手段と
を自動改札機に備えたことを特徴とする広告表示システム。
【請求項２】
顧客が駅に設置した端末にＩＣカードをかざしたときに当該ＩＣカードから顧客のＩＤを読み取って当該顧客の駅中待時間に応じた適切な広告表示を行う広告表示システムにおいて、
顧客がＩＣカードをかざしたときに当該ＩＣカードから顧客のＩＤを読み取る手段と、
前記読み取った顧客のＩＤをサーバに送信する手段と、
前記顧客のＩＤをサーバに送信したことに対応して、サーバから当該顧客のＩＤの乗車に関する予約情報があったときに当該乗車に関する予約情報と現時刻とをもとに算出した駅中待時間に対応して取り出した広告表示を受信する手段と、
前記受信した駅中待時間に対応した広告表示を表示する手段と、
前記表示した広告表示中から、顧客から所望の広告が選択されたときに当該選択された広告の詳細広告表示を行う手段と
を駅に設置した端末に備えたことを特徴とする広告表示システム。
【請求項３】
顧客のＩＣカードから読み取られたＩＤを受信したときに、当該顧客のＩＤをもとに、顧客のＩＤに対応づけて予約情報を登録したテーブルを参照して予約があるか判別する手段と、
前記手段により予約があると判明したときにその予約情報を取り出し、当該予約情報と現時刻とをもとに駅中待時間を算出する手段と、
前記算出した駅中待時間をもとに、駅中待時間に対応づけて広告表示を登録したテーブルから該当する広告表示を取り出す手段と、
前記取り出した広告表示を、前記送信元に送信して表示させる手段と
を備えたことを特徴とする広告表示サーバ。
【請求項４】
前記予約情報は、顧客のＩＤに対応づけて乗物に乗車する乗車駅、時間を少なくとも登録したことを特徴とする請求項３に記載の広告表示サーバ。
【請求項５】
前記駅中待時間は、顧客が乗車する駅毎に算出したことを特徴とする請求項３あるいは請求項４記載の広告表示サーバ。
【請求項６】
コンピュータに、
顧客のＩＣカードから読み取られたＩＤを受信したときに、当該顧客のＩＤをもとに、顧客のＩＤに対応づけて予約情報を登録したテーブルを参照して予約があるか判別する手段と、
前記手段により予約があると判明したときにその予約情報を取り出し、当該予約情報と現時刻とをもとに駅中待時間を算出する手段と、
前記算出した駅中待時間をもとに、駅中待時間に対応づけて広告表示を登録したテーブルから該当する広告表示を取り出す手段と、
前記取り出した広告表示を、前記送信元に送信して表示させる手段と
して機能させることを特徴とする広告表示プログラム。
【発明の詳細な説明】
【技術分野】
【０００１】
本発明は、顧客が自動改札機にＩＣカードをかざしたときにＩＣカードから顧客のＩＤを読み取って顧客の駅中待時間に応じた適切な広告表示を行う広告表示システム、広告表示サーバ、および広告表示プログラムに関するものである。
【背景技術】
【０００２】
従来、顧客（利用者）は、新幹線などの駅の改札口に設置した自動改札機の検出部に、ＩＣカードをタッチして乗車料金の残高をチェックして入場し、所望の行き先の電車などに乗車することが行われている。
【０００３】
この際、自動改札機でＩＣカードから残高情報の他に顧客の個人情報を読み取り、当該個人情報をもとに顧客毎に適切な言語で適切な広告を当該自動改札機の表示部に表示する技術がある（特許文献１）。
【特許文献１】特開２００３−４４８８５号公報
【発明の開示】
【発明が解決しようとする課題】
【０００４】
上述した従来技術では、顧客が自動改札機の検出部にＩＣカードをかざした（あるいはタッチ）したときに当該顧客の個人情報を読み取り、適切な言語で適切な広告メッセージを当該自動改札機に表示して当該顧客に適切な言語で適切な宣伝などを行うことができる。
【０００５】
しかし、顧客が駅での待ち時間（駅中待時間）が短いのに名物の食事を宣伝する広告をしてもその時間がなかったり、待ち時間が十分あるのに短時間で買える土産物のみ宣伝の広告をしても、その広告の効果が期待できないという問題があった。
【課題を解決するための手段】
【０００６】
本発明は、これらの問題を解決するために、顧客が自動改札機にＩＣカードをかざしたときにＩＣカードから顧客のＩＤを読み取って顧客の駅中待時間に応じた適切な広告表示を行う広告表示システムにおいて、駅などの改札口に設け、顧客がＩＣカードをかざしたときにＩＣカードから顧客のＩＤを読み取る手段と、読み取った顧客のＩＤをサーバに送信する手段と、顧客のＩＤをサーバに送信したことに対応して、サーバから顧客のＩＤの乗車に関する予約情報があったときに乗車に関する予約情報と現時刻とをもとに算出した駅中待時間に対応して取り出した広告表示を受信する手段と、受信した駅中待時間に対応した広告表示を表示する手段とを自動改札機に備える広告表示システムである。
【０００７】
また、顧客が駅に設置した端末にＩＣカードをかざしたときにＩＣカードから顧客のＩＤを読み取って顧客の駅中待時間に応じた適切な広告表示を行う広告表示システムにおいて、駅に設け、顧客がＩＣカードをかざしたときにＩＣカードから顧客のＩＤを読み取る手段と、読み取った顧客のＩＤをサーバに送信する手段と、顧客のＩＤをサーバに送信したことに対応して、サーバから顧客のＩＤの乗車に関する予約情報があったときに乗車に関する予約情報と現時刻とをもとに算出した駅中待時間に対応して取り出した広告表示を受信する手段と、受信した駅中待時間に対応した広告表示を表示する手段と、表示した広告表示中から、顧客から所望の広告が選択されたときに選択された広告の詳細広告表示を行う手段とを駅に設置した端末に備えた広告表示システムである。
【０００８】
また、自動改札機で読み取られたＩＣカードの顧客のＩＤを受信したときに、顧客のＩＤをもとに、顧客のＩＤに対応づけて予約情報を登録したテーブルを参照して予約があるか判別する手段と、予約があると判明したときにその予約情報を取り出し、予約情報と現時刻とをもとに駅中待時間を算出する手段と、算出した駅中待時間をもとに、駅中待時間に対応づけて広告表示を登録したテーブルから該当する広告表示を取り出す手段と、取り出した広告表示を送信元に送信して表示させる手段とを備えた広告表示サーバである。
【０００９】
これらの際、予約情報は、顧客のＩＤに対応づけて乗物に乗車する乗車駅、時間を少なくとも登録するようにしている。
【００１０】
また、駅中待時間は、顧客が乗車する駅毎に算出するようにしている。
【発明の効果】
【００１１】
本発明は、顧客が自動改札機の検出部にＩＣカードをかざしたときにＩＣカードからＩＤなどを読み取って予約情報があったときに駅での待ち時間（駅中待時間）を算出し、駅中待時間に応じた広告を自動改札機に表示すると共に、顧客がＩＣカードを駅に設置した端末にタッチすると駅中待時間に対応した広告表示し、顧客が広告表示中から該当するものを選択するとそのＵＲＬのページの詳細広告表示を行い、駅中待時間に応じた詳細広告表示を見て短時間にできる名物の土産物を購入したり、長時間が必要な名物レストランに行って食事を取ったりなどの駅中待時間に応じた行動ができるよう適切な情報を提供することが可能となる。
【発明を実施するための最良の形態】
【００１２】
本発明は、駅中待時間に応じた広告表示を見て短時間にできる名物の土産物を購入したり、長時間が必要な名物レストランに行って食事を取ったりなどの駅中待時間に応じた行動ができるよう適切な情報を提供することを実現した。
【実施例１】
【００１３】
図１は、本発明のシステム構成図を示す。
【００１４】
図１において、自動改札機１は、駅の改札口（入口、出口）に配置された改札機であって、顧客が入口でＩＣカードをかざしてゲートを開にして入場したり、出口でかざしてゲートを開にして出場したり、併せて乗車料金を残高から減算して支払ったり、ＩＣカードから読み取った予約情報をもとに入場・出場したりなどするための自動改札機であり、ここでは、ＩＣカード読み取り手段１１、送受信手段１２、判断・表示手段１３、およびゲート開閉手段１４などから構成されるものである。
【００１５】
ＩＣカード読み取り手段１１は、入場時、出場時に顧客がかざしたＩＣカードから顧客のＩＤ、残高などを無線で読み取るものである。
【００１６】
送受信手段１２は、ＩＣカード読み取り手段１１により読み取った顧客のＩＤ、残高などの情報を、ネットワーク４を介してデータ処理サーバ３に送信したり、データ処理サーバ３から送信された情報（広告表示、残高（乗車料金を減算した後の残高）などの情報）を受信したりするものである。
【００１７】
判断・表示手段１３は、データ処理サーバ３から受信した情報をもとに拒絶表示、広告表示などを自動改札機１の表示部に行うものである。
【００１８】
ゲート開閉手段１４は、判断・表示手段１３でゲート開と判断されたときに自動改札機１のゲートを開にするものである。
【００１９】
駅中情報表示装置２は、顧客がＩＣカードをかざしたときに当該ＩＣカードから顧客のＩＤを読み取ってデータ処理サーバ３に問い合わせて予約情報があったときに駅中待時間に対応する広告表示（広告表示（詳細））を行うものであって、駅毎に設けた情報表示装置であり、ここでは、ＩＣカード読み取り手段２１、広告表示選択手段２２、送受信手段２３などから構成されるものである。
【００２０】
ＩＣカード読み取り手段２１は、顧客が駅中情報表示装置２の検出部に、ＩＣカードをかざしたときに当該ＩＣカードから顧客のＩＤなどを読み取るものである。
【００２１】
広告表示選択手段２２は、ＩＣカード読み取り手段２１によって読み取った顧客のＩＤをネットワーク４を介してデータ処理サーバ３に送信し、当該データ処理サーバ３で顧客のＩＤに対応づけて予約情報があり、当該予約情報をもとに現在時刻から発車時刻までの駅中待時間に対応する広告表示の送信を受信し、受信した広告表示（広告表示（詳細））を画面上に表示したりなどするものである（後述する図２から図９を参照）。
【００２２】
送受信手段２３は、ネットワーク４を介してデータ処理サーバ３などとの間で情報（顧客のＩＣ，駅中待時間に対応する広告表示などの情報）を送受信するものである。
【００２３】
ＤＢ２４は、駅中情報表示装置２が必要とする情報を検索し易い態様で記憶したものであって、ここでは、駅広告情報テーブル２５などから構成されるものである。
【００２４】
駅広告情報テーブル２５は、駅毎に設けたものであって、当該駅で顧客に広告表示（広告表示（詳細））する情報を登録したものであり、例えば後述する図５の（ｅ）の駅広告情報テーブル２５である。なお、ここでは、当該駅の駅広告情報テーブル２５は、図示の駅中情報表示装置２がＤＢ２４中に記憶するが、データ処理サーバ３に全駅のものを登録しておき、必要に応じてネットワーク４を介してアクセスして必要な情報をダウンロードするようにしてもよい。
【００２５】
データ処理サーバ３は、ネットワーク４を介して自動改札機１、駅中情報表示装置２などとの間でデータを送受信し、顧客のＩＣカードから読み取った当該顧客のＩＤをもとに予約情報が登録されていた場合に当該予約情報をもとに現時刻から予約した列車の発車時刻までの駅中待時間を算出し、当該算出した駅中待時間に対応する広告表示（広告表示（詳細））を送信元（自動改札機１、駅中情報表示装置２）に返信したりなどするものであり（後述する図２から図９を参照）、送受信手段３１、広告選択手段３２、およびＤＢ３３などから構成されるものである。
【００２６】
送受信手段３１は、ネットワーク４を介して自動改札機１、駅中情報表示装置２との間で情報の送受信を行うものである。
【００２７】
広告選択手段３２は、自動改札機１、駅中情報表示装置２で顧客のＩＣカードから読み取った当該顧客のＩＤを受信したときに、顧客のＩＤに対応づけて予約情報が登録されていた場合に、予約情報をもとに現時刻から発車時間までの駅中待時間を算出し、当該駅中待時間に対応する広告表示を選択するものである（後述する図２から図９を参照）。そして、選択した駅中待時間に対応する広告表示を、顧客のＩＤの送信元の自動改札機１あるいは駅中情報表示装置２に返信する。
【００２８】
ＤＢ３３は、情報を検索しやすく登録したデータベースであって、ここでは、予約情報テーブル３４、顧客情報テーブル３５、広告分類情報テーブル３６、サマリ情報テーブル３７、および判断テーブル３８などから構成されるものである。
【００２９】
予約情報テーブル３４は、顧客のＩＤ（顧客ＩＤ）に対応づけて当該顧客（顧客）の予約情報を登録したものである（後述する図５の（ａ）参照）。
【００３０】
顧客情報テーブル３５は、顧客のＩＤ（顧客ＩＤ）に対応づけて当該顧客（顧客）の個人情報（氏名、残高情報などの個人情報）を登録して管理するものである（後述する図５の（ｂ）を参照）。
【００３１】
広告分類情報テーブル３６は、条件（例えば駅中待時間が１０分以内）に対応づけて分類（広告表示の分類）を登録して管理するものである（後述する図５の（ｄ）を参照）。
【００３２】
サマリ情報テーブル３７は、サマリコードに対応づけて広告データ、分類コード（例えば駅中待時間が１０分以内に対応する分類コード）などを登録して管理するものである（後述する図５の（ｆ）を参照）。
【００３３】
判断テーブル３８は、条件（残高、予約など）に対応づけて判断（入場可否、表示（広告表示）など）を登録して管理するものである（後述する図５の（ｈ）を参照）。
【００３４】
ネットワーク４は、自動改札機１、駅中情報表示装置２、データ処理サーバ３などを相互に接続してデータの送受信を行うネットワークであって、ＬＡＮ、インターネットなどのネットワークである。
【００３５】
次に、図２のフローチャートの順番に従い、図１の自動改札機１、駅中情報表示装置２の動作を順次詳細に説明する。
【００３６】
図２は本発明の動作説明フローチャートを示し、図２の（ａ）は自動改札機のフローチャートを示し、図２の（ｂ）は駅中情報表示装置のフローチャートを示す。
【００３７】
図２の（ａ）において、Ｓ１は、ＩＣカードの顧客ＩＤを読み取ったか判別する。これは、図１の駅の改札口（ここでは、入口）に設置した自動改札機１を構成するＩＣカード読み取り手段１１が顧客がかざした当該顧客のＩＣカードから当該顧客のＩＤ、更に、残高などを読み取ったか判別する。ＹＥＳの場合には、Ｓ２に進む。ＮＯの場合には、Ｓ１を繰り返して待機する。
【００３８】
Ｓ２は、Ｓ１のＹＥＳで顧客ＩＤを読み取ったと判明したので、ＩＣカード情報（顧客ＩＤ、残高などの情報）をデータ処理サーバ３に送信する。
【００３９】
Ｓ３は、カードチェック結果を受信か判別する。これは、Ｓ２でＩＣカード情報をデータ処理サーバ３に送信したことに対応して、データ処理サーバ３が後述する図３および図４の手順により顧客の予約情報をもとに算出した駅中待時間に対応する広告表示、あるいは残高不足のときの拒絶表示などのカードチェック結果を送信し、当該送信されたカードチェック結果を受信したか判別する。ＹＥＳの場合には、Ｓ４に進む。ＮＯの場合には、Ｓ３を繰り返して待機する。
【００４０】
Ｓ４は、Ｓ３のＹＥＳでカードチェック結果が受信されたと判明したので、ＩＣカードチェック結果が広告表示ありか判別する。これは、データ処理サーバ３が顧客ＩＤをもとに当該顧客の予約情報を参照して現時刻から予約した列車の発車時刻までの駅中待時間を算出し、当該算出した駅中待時間に対応する広告表示を取り出し、当該取り出した広告表示を受信したと判明したので、Ｓ５に進む。ＮＯの場合には、広告表示以外と判明したので、Ｓ８に進む。
【００４１】
Ｓ５は、Ｓ４のＹＥＳでデータ処理サーバ３から自動改札機１が広告表示を受信したと判明したので、広告表示を自動改札機１の表示部に表示する。例えば後述する図５の（ａ）ないし（ｃ）のいずれかの広告表示を表示、例えば顧客の駅中待時間が１０分未満の場合には、図５の（ａ）の短時間（１０分未満）で可能な買い物として、図示の「すぐそこ」のメッセージに併せて「短時間でお土産注文可！」というメッセージを表示し、顧客にお土産の買い物（ここでは、注文）を促す広告を表示する。
【００４２】
Ｓ６は、ゲートを開く。これは、自動改札機１のゲートを開にして顧客が入場できるようにする。
【００４３】
Ｓ７は、乗車駅と時刻を記録、広告表示情報を記録する。これは、Ｓ１からＳ６で当該顧客について処理した情報のうち、乗車駅と時刻、更に、駅中待時間に対応して決定した広告表示を記録して履歴を保存する（例えば顧客のＩＣカードあるいはデータ処理サーバ３に記録して保存する）。
【００４４】
また、Ｓ８は、Ｓ４のＮＯでＩＣカードチェック結果が広告表示なしと判明したので、更に、ＩＣカードチェック結果が拒絶表示の指示か判別する。これは、後述する図４のデータ処理サーバ３の処理のＳ３７のなし、Ｓ３８で残高不足で拒絶表示の指示と判定したと判明か判別する。ＹＥＳの場合には、Ｓ９で残高不足で拒絶表示し、ゲートを開かないで終了する。一方、ＮＯの場合には、Ｓ６でゲートを開とし、Ｓ７で乗車駅と時刻を記録し（このルートの場合には、Ｓ４のＮＯでＩＣカードチェック結果中に広告表示がないので記録しない）、終了する。
【００４５】
以上によって、顧客がＩＣカードを自動改札機１にかざすと当該ＩＣカードから顧客のＩＤ、残高などのＩＣカード情報を読み取ってネットワーク４を介してデータ処理サーバ３に送信し、データ処理サーバ３が後述する図３、図４で、当該受信した顧客のＩＣカード情報中の顧客ＩＤをもとに予約情報を検索して見つかった場合には当該予約情報をもとに現時刻から予約した列車の発車時刻までの駅中待時間を算出し、当該駅中待時間に対応する広告表示、更に残高から料金を減算した残高（新）を算出し、これらをＩＣカードチェック結果として自動改札機１に返送し、自動改札機１がＩＣカードチェック結果をもとに、広告表示、ゲートを開、乗車駅と時刻、広告表示を記録したり、拒絶表示したり、拒絶表示することなくゲートを開、乗車駅と時刻を記録したりなどすることが可能となる。
【００４６】
次に、図２の（ｂ）の手順に従い、図１の駅中情報表示装置２の動作を詳細に説明する。
【００４７】
図２の（ｂ）において、Ｓ１１は、ＩＣカードを読み取ったか判別する。これは、図１の駅に設置した駅中情報表示装置２を構成するＩＣカード読み取り手段２１が顧客がかざした当該顧客のＩＣカードから当該顧客のＩＤなどを読み取ったか判別する。ＹＥＳの場合には、Ｓ１２に進む。ＮＯの場合には、Ｓ１１を繰り返して待機する。
【００４８】
Ｓ１２は、Ｓ１１のＹＥＳで顧客ＩＤを読み取ったと判明したので、ＩＣカード情報（顧客ＩＤなどの情報）をデータ処理サーバ３に送信する。
【００４９】
Ｓ１３は、カードチェック結果を受信か判別する。これは、Ｓ１２でＩＣカード情報をデータ処理サーバ３に送信したことに対応して、データ処理サーバ３が後述する図３および図４の手順により顧客の予約情報をもとに算出した駅中待時間に対応する広告表示などのカードチェック結果を送信し、当該送信されたカードチェック結果を受信したか判別する。ＹＥＳの場合には、Ｓ１４に進む。ＮＯの場合には、Ｓ１３を繰り返して待機する。
【００５０】
Ｓ１４は、Ｓ１３のＹＥＳでカードチェック結果が受信されたと判明したので、ＩＣカードチェック結果中の、駅中待時間表示に対応する広告表示（詳細）を表示する。例えば図７、図８の広告表示（詳細）を駅中情報表示装置２の画面上に表示する。顧客は、表示された広告表示（詳細）を見て、例えば図８の広告表示（詳細）を見て、お土産あるいは飲食店を選択し、更にＵＲＬで該当するページを表示させ、所望の土産物を予約（購入）したり、飲食店などの詳細情報を表示させたりなどすることができる。
【００５１】
以上によって、顧客がＩＣカードを駅中情報表示装置２にかざすと当該ＩＣカードから顧客のＩＤなどのＩＣカード情報を読み取ってネットワーク４を介してデータ処理サーバ３に送信し、データ処理サーバ３が後述する図３、図４で、当該受信した顧客のＩＣカード情報中の顧客ＩＤをもとに予約情報を検索して見つかった場合には当該予約情報をもとに現時刻から予約した列車の発車時刻までの駅中待時間を算出し、当該駅中待時間に対応する広告表示を取り出してＩＣカードチェック結果として駅中情報表示装置２に返送し、駅中情報表示装置２がＩＣカードチェック結果中の駅中待時間に対応する広告表示（詳細）を、例えば図７、図８のように表示し、顧客に土産物、飲食店などの情報を表示することが可能となる。
【００５２】
図３は、本発明のデータ処理サーバの広告選択手段のフローチャートを示す。
【００５３】
図３において、Ｓ２１は、ＩＣカード情報を受信したか判別する。これは、図２の（ａ）のＳ１、図２の（ｂ）のＳ１１で自動改札機１あるいは駅中情報表示装置２のＩＣカード読み取り手段１１，２１が顧客のＩＣカードから読み取ったＩＣカード情報（顧客ＩＤ、残高などの情報）を、データ処理サーバ３が受信したか判別する。ここで、ＩＣカード情報は、例えば後述する図５の（ｃ）のＩＣカード情報に示すように、
・顧客ＩＤ：
・氏名：
・残高情報：
・その他：最終更新日時など
をデータ処理サーバ３が受信する。ＹＥＳの場合には、Ｓ２２に進む。ＮＯの場合には、Ｓ２１を繰り返して待機する。
【００５４】
Ｓ２２は、受信したＩＣカード情報（例えば顧客ＩＤ）に対応する予約情報等（予約情報）をＤＢ３３から読み込む。これは、顧客ＩＤをキーに、図５の（ａ）の予約情報テーブル３４を検索し、当該顧客ＩＤに対応する予約情報（予約ＩＤ，乗車駅ＩＤ，発車予定時刻などの情報）を読み込む。
【００５５】
Ｓ２３は、チェックを行う。これは、Ｓ２１で受信したＩＣカード情報中の顧客ＩＤ、更に、顧客ＩＤに対応する予約情報が適切か（登録されているか、登録されていても有効期間内か、当駅が乗車駅ＩＤにより有効な駅か、発車時刻が現在日時から見て適切か）をチェックする。
【００５６】
Ｓ２４は、チェック結果および予約情報から、待ち時間に基づく広告データ（広告表示あるいは広告表示（詳細））の取り出しを行う。これは、図４を用いて詳細に説明する。
【００５７】
Ｓ２５は、送信する。これは、Ｓ２１でＩＣカード情報を受信した送信元（図１の自動改札機１あるいは駅中情報表示装置２）に送信（返信）する。
【００５８】
以上によって、図１の自動改札機１、駅中情報表示装置２から顧客のＩＣカードから読み取ったＩＣカード情報を受信したときに、受信したＩＣカード情報中の顧客ＩＤをもとに図５の（ａ）の予約情報テーブル３４を検索して当該顧客ＩＤの予約情報（乗車駅、発車予定時刻など）を取り出して適切かチェックし、更に、現時刻から発車予定時刻までの駅中待時間を算出し、駅中待時間に対応する広告表示（あるいは広告表示（詳細））を取り出したり、必要に応じて残高から料金を減算した残高（新）を算出したりし、これらチェック結果（チェック結果、広告表示、広告表示（詳細）、拒絶表示などの情報）を、送信元の自動改札機１、駅中情報表示装置２に送信（返信）することが可能となる。
【００５９】
図４は、本発明のデータ処理サーバでの駅中待時間に基づく広告表示の取出しフローチャートを示す。
【００６０】
図４において、Ｓ３１は、駅中待時間を算出する。これは、既述した図３のＳ２２で図５の（ａ）の予約情報テーブル３４から取り出した顧客ＩＤに対応する予約情報中の発車予定時刻から現時刻を減算して駅中待時間を算出する。
【００６１】
Ｓ３２は、駅中待時間をもとに分類コードを取り出す。これは、Ｓ３１で算出した当該顧客の駅中待時間をもとに、図５の（ｄ）の広告分類情報テーブル３６を参照し、当該駅中待時間に対応する条件（例えば駅中待時間が１０分未満という条件）に合致するエントリの分類コード（例えばｉ０１）を取り出す。
【００６２】
Ｓ３３は、分類コードをもとに広告データを取り出す。例えばＳ３２で分類コード「ｉ０１」（駅中待時間が１０分未満）をもとに、図５の（ｆ）のサマリ情報テーブル３７を検索し、当該分類コード「ｉ０１」のエントリ中の広告データ「ＡＡ」を取り出す。
【００６３】
Ｓ３４は、顧客情報テーブルに記録する。これは、Ｓ３３で取り出した広告データ（例えば広告データ「ＡＡ」）を図５の（ｂ）の顧客情報テーブル３５中の広告データ欄に記録する。
【００６４】
以上のＳ３１からＳ３４の手順により、顧客の予約情報中の列車発車予定時刻をもとに現時刻から当該列車発車予定時刻までの駅中待時間を算出し、当該算出した駅中待時間に対応する広告データを取り出すことが可能となる。
【００６５】
また、Ｓ３５は、残高の取出しを行う。これは、顧客のＩＣカードから読み取った情報中の残高（あるいは顧客ＩＤをもとに、データ処理サーバ３側で記録しておいた図５の（ｂ）の顧客情報テーブル３５中の残高情報欄に記録されている残高）を取り出す。
【００６６】
Ｓ３６は、入場金額以上の残高があるか判別する。これは、現在、顧客が精算しようとする料金（予約情報で予約した列車の料金、これから入場しようとするときの料金（降車駅で料金が決まるときは規定の一定額の料金））以上の残高があるか判別する。ＹＥＳの場合には、残高が十分にあると判明したので、Ｓ３７でゲート開指示情報を作成し（チェック結果中にゲート開指示を作成し）、Ｓ３４で顧客情報テーブルに記録する。一方、ＮＯの場合には、Ｓ３８で拒絶表示情報を作成する（チェック結果中に拒絶表示を作成する）。これら作成したチェック結果中のゲート開指示、拒絶指示は、既述した図２の（ａ）のＳ８の拒絶表示の指示かの判別の際に使用する（拒絶表示のときはＳ８のＹＥＳでＳ９の拒絶表示し、ゲート開指示のときはＳ８のＮＯでＳ６でゲート開く）。
【００６７】
以上のＳ３５からＳ３８の手順により、顧客のＩＣカード中の残高あるいは顧客ＩＤをもとにデータ処理サーバ３側の図５の（ｂ）の顧客情報テーブル３５中の残高が、入場金額以上のときにゲート開、以下のときに拒絶表示と判定してチェック結果中に作成することが可能となる。そして、当該チェック結果をもとに、既述した図２の（ａ）のＳ８からＳ９．Ｓ６の処理を実行することが可能となる。
【００６８】
図５は、本発明のテーブル例を示す。
【００６９】
図５の（ａ）は、予約情報テーブル例を示す。予約情報テーブル３４は、顧客ＩＤに対応づけて予約情報として下記の情報を登録して管理するものである。
【００７０】
・顧客ＩＤ：
・予約ＩＤ：
・列車ＩＤ：
・乗車駅ＩＤ：
・発車予定時刻：
・降車駅ＩＤ：
・到着予定時刻：
・その他：
ここで、顧客ＩＤは顧客を一意に決めるＩＤである。予約ＩＤは顧客が予約した予約情報のＩＤである。列車ＩＤ、乗車駅ＩＤ、発車予定時刻、降車駅ＩＤ、到着予定時刻は、顧客が予約した列車のＩＤ，乗車駅のＩＤ，予約した列車の発車予定時刻、予約した列車の降車駅のＩＤ，予約した列車の到着駅に到着する予定時刻である。
【００７１】
図５の（ｂ）は、顧客情報テーブル例を示す。顧客情報テーブル３５は、顧客の情報を登録して管理するものであって、ここでは、図示の下記の情報を対応づけて登録して管理するものである。
【００７２】
・顧客ＩＤ：
・氏名：
・残高情報：
・広告データ：
・その他：
ここで、顧客ＩＤ、氏名は、顧客を一意に決めるＩＤ、その氏名である。残高情報は、顧客がプリペイドした金額のうちの残高である。広告データは顧客が自動改札機１、駅中情報表示装置２に当該顧客の駅中待時間に対応する広告表示（広告表示（詳細））を表示したときに記録した広告データである。
【００７３】
図５の（ｃ）は、ＩＣカード情報例を示す。ＩＣカード情報は、顧客のＩＣカードから図１の自動改札機１、駅中情報表示装置２が読み取った情報の例を示し、ここでは、図示の下記の情報を対応づけて読み出したものである。
【００７４】
・顧客ＩＤ：
・氏名：
・残高情報：
・その他：
ここで、顧客ＩＤは顧客を一意に決めるＩＤである。氏名は顧客の氏名である。残高情報は顧客がプリペイドした金額から使用（精算）した金額を現在した残高である。
【００７５】
図５の（ｄ）は、広告分類情報テーブル例を示す。広告分類情報テーブル３６は、条件に対応づけて分類コードを登録したものであって、ここでは、図示の下記の情報を対応づけて登録して管理するものである。
【００７６】
・分類コード：
・条件（分未満）：
・その他：
ここで、分類コードは駅中待時間の範囲に対応づけて定義したコードである。条件（分未満）は分類コードの駅中待時間の範囲を登録したものである。例えば条件と、分類コードとの関係は、図示の下記のように定義される。
【００７７】
・条件「駅中待時間が１０分未満」のときは分類コードが「ｉ０１」と定義される。
【００７８】
・条件「駅中待時間が１０分以上３０分未満」のときは分類コードが「ｉ０２」と定義される。
【００７９】
・以下図示のとおり
以上のように、駅中待時間に対応づけて分類コードを定義することにより、当該分類コードに対応する適切な広告表示（広告表示（詳細））を自動的に取り出すことが可能となる。
【００８０】
図５の（ｅ）は、駅広告情報テーブル例を示す。駅広告情報テーブル２５は、広告コードに対応づけて広告情報などを登録して管理するものであって、ここでは、図示の下記の情報を対応づけて登録して管理するものである。
【００８１】
・広告コード：
・広告情報（広告表示、広告表示（詳細））：
・分類コード：
・ＵＲＬ：
・その他：
ここで、広告コードは広告情報を一意に区別するために付与したコードである。広告情報（広告表示、広告表示（詳細））は、広告表示、広告表示（詳細）を予め作成して登録したものである。分類コードは、既述した図５の（ｄ）の広告分類情報テーブル３６で定義した駅中待時間に対応する分類コードである。ＵＲＬは更に詳細な広告情報を表示するページのアドレスである。
【００８２】
図５の（ｆ）は、サマリ情報テーブル例を示す。サマリ情報テーブル３７は、サマリコードに対応づけて広告データなどを登録して管理するものであって、ここでは、図示の下記の情報を対応づけて登録して管理するものである。
【００８３】
・サマリコード：
・広告データ：
・分類コード：
・その他：
ここで、サマリコードはサマリ情報（広告データなど）を一意に区別するために付与したコードである。広告データはサマリコードで定義された広告データ（広告表示、広告表示（詳細））である。分類コードは既述した図５の（ｄ）の広告分類情報テーブル３６中の分類コードである。
【００８４】
図５の（ｇ）は、サマリ情報の概略説明図を示す。ここで、図５の（ｆ）のサマリ情報テーブル３７中の広告データＡＡ，ＢＢ，ＣＣのときの実際のデータを模式的に画面上に概略表示した様子を示す。例えば広告データ「ＡＡ」は、「短時間でお土産注文可」というメッセージを表示する広告データである。以下図示のとおりである。
【００８５】
図５の（ｈ）は、判断テーブル例を示す。判断テーブル３８は、左欄の条件（残高、予約）の４つの組み合わせについて、右欄の判断（入場可否、表示）についての判断結果をそれぞれ示す。例えば条件として、
・残高＝×（不足）
・予約＝×（なし））
の場合には、判断として、
・入場可否＝×（不可、ゲート開にしない）
・表示＝拒絶表示  
となる。他の組み合わせは、図示のとおりである。尚、入場可否＝○（可、ゲート開）は図２の（ａ）のＳ６ゲート開くである。表示＝広告表示は図２の（ａ）のＳ５の広告表示、あるいは図２の（ｂ）のＳ１４の広告表示（詳細）である。
【００８６】
図６は、本発明のサマリ情報表示例を示す。これは、既述した図５の（ｆ）のサマリ情報テーブル３７をもとに右側の図５の（ｇ）のサマリ情報の概略説明図に示したように表示する。この表示を更に、詳細に示したものが図６の（ａ）、（ｂ），（ｃ）である。
【００８７】
図６の（ａ）は、駅中待時間が１０分未満の広告データ「ＡＡ」の例を示す。ここでは、
・画面の上段に、文字列「すぐそこ」を上向きの矢印の中に縦文字で図示のように表示し、
・画面の下段に、文字列「短時間でお土産注文可！」を横向きに図示のように表示する。
【００８８】
以上の広告データ「ＡＡ」を見た顧客は、駅中待時間が１０分未満であり、当該駅中待時間内で可能な当該図６の（ａ）の広告表示を見て、お土産を注文することが可能となる。
【００８９】
図６の（ｂ）は、駅中待時間が１０分から３０分未満の広告データ「ＢＢ」の例を示す。ここでは、
・画面の上段に、文字列「すぐそこ」を上向きの矢印の中に縦文字で図示のように表示し、
・画面の下段に、文字列「短時間でお土産注文可！」と「名産品を見て注文可！」を横向きに図示のように２段に表示する。
【００９０】
以上の広告データ「ＢＢ」を見た顧客は、駅中待時間が１０分から３０分未満であり、当該駅中待時間内で可能な当該図６の（ｂ）の広告表示を見て、名産品を見てお土産を注文することが可能となる。
【００９１】
図６の（ｃ）は、駅中待時間が３０分以上の広告データ「ＣＣ」の例を示す。ここでは、
・画面の上段に、文字列「すぐそこ」を上向きの矢印の中に縦文字で図示のように表示し、
・画面の下段に、文字列「短時間でお土産注文可！」と「名産品を見て注文可！」と「食事ができます！」を横向きに図示のように３段に表示する。
【００９２】
以上の広告データ「ＣＣ」を見た顧客は、駅中待時間が３０分以上であり、当該駅中待時間内で可能な当該図６の（ｃ）の広告表示を見て、名産品を見てお土産を注文に、加え更に、食事することが可能となる。
【００９３】
図７は、本発明の駅中情報表示装置の広告表示（詳細）例を示す。図示の広告表示（詳細）は、駅中待時間が分類コードｉ０１（１０分未満）の例を示す。
【００９４】
図８は、本発明の駅中情報表示装置の広告表示（詳細）例を示す。図示の広告表示（詳細）は、駅中待時間が分類コードｉ０２（１０分から３０分未満）、ｉ０３（３０分以上）の例をそれぞれ示す。図中の中段の「お土産」を表示したものが駅中待時間が分類コードｉ０２（１０分から３０分未満）を表し、図中の中段に更に「飲食店」を表示したものが駅中待時間が分類コードｉ０３（３０分以上）を表す。
【００９５】
図９は、本発明の拒絶表示例を示す。図示の拒絶表示例は、既述した図２の（ａ）のＳ９で表示する拒絶表示例であって、ここでは、
・上段に、三角のマークの中を塗りつぶしたものを表示し、
・下段に、文字列「残高および予約がないため入場できません！」を、横文字で３段で表示した例を示す。
【産業上の利用分野】
【００９６】
本発明は、顧客が自動改札機、駅中情報表示装置にＩＣカードをかざしたときにＩＣカードから顧客のＩＤを読み取って顧客の駅中待時間に応じた適切な広告表示を行う広告表示システム、広告表示サーバ、および広告表示プログラムに関するものである。
【図面の簡単な説明】
【００９７】
【図１】本発明のシステム構成図である。
【図２】本発明の動作説明フローチャートである。
【図３】本発明のデータ処理サーバの広告選択手段のフローチャートである。
【図４】本発明のデータ処理サーバの駅中待時間に基づく広告表示の取出しフローチャートである。
【図５】本発明のテーブル例である。
【図６】本発明のサマリ情報表示例である。
【図７】本発明の駅中情報表示装置の広告表示（詳細）例である。
【図８】本発明の駅中情報表示装置の広告表示（詳細）例である。
【図９】本発明の拒絶表示の例である。
【符号の説明】
【００９８】
１：自動改札機
１１：ＩＣカード読み取り手段
１２：送受信手段
１３：判断・表示手段
１４：ゲート開閉手段
２：駅中情報表示装置
２１：ＩＣカード読み取り手段
２２：広告表示選択手段
２３：送受信手段
２４：ＤＢ
２５：駅広告情報テーブル
３：データ処理サーバ
３１：送受信手段
３２：広告選択手段
３３：ＤＢ
３４：予約情報テーブル
３５：顧客情報テーブル
３６：広告分類情報テーブル
３７：サマリ情報テーブル
３８：判断テーブル
４：ネットワーク
【図１】
2012073380.tif 000003
【図２】
2012073380.tif 000004
【図３】
2012073380.tif 000005
【図４】
2012073380.tif 000006
【図５】
2012073380.tif 000007
【図６】
2012073380.tif 000008
【図７】
2012073380.tif 000009
【図８】
2012073380.tif 000010
【図９】
2012073380.tif 000011